(57)【要約】【課題】  小型化のために発光素子と受光素子とを同一パッケージに収めた場合でも発光素子と受光素子との間の電気的及び光学的なクロストークを低減させることのできる光通信モジュールを提供する。【解決手段】  この光通信モジュールは、光ファイバ端末２からの光が入射する受光素子１３と、光ファイバ端末に入射させる光を出射する発光素子１４と、を同一の缶１８内に収容し、缶を受光素子と発光素子とが光ファイバ端末と対向するように筐体１０内に配置し、受光素子と発光素子との間を光遮蔽壁１２で光学的に遮蔽しかつ電気的に絶縁した。【選択図】  図１
2005183519.tif 000002
【特許請求の範囲】
【請求項１】
光ファイバ端末からの光が入射する受光素子と、前記光ファイバ端末に入射させる光を出射する発光素子と、を同一の缶内に収容し、
前記缶を前記受光素子と前記発光素子とが前記光ファイバ端末と対向するように筐体内に配置し、
前記受光素子と前記発光素子との間を光学的に遮蔽しかつ電気的に絶縁したことを特徴とする光通信モジュール。
【請求項２】
前記受光素子と前記発光素子とを同一基板上に配置し、前記受光素子と前記発光素子との間に電気絶縁部を設けたことを特徴とする請求項１に記載の光通信モジュール。
【請求項３】
前記受光素子と前記発光素子との間に入射光と出射光とを分離する光遮蔽壁を設けたことを特徴とする請求項１または２に記載の光通信モジュール。
【請求項４】
光ファイバ端末からの光が入射する受光素子と、前記光ファイバ端末に入射させる光を発する発光素子と、を第１の基板及び第２の基板に別々に配置し、
前記受光素子と前記発光素子とが前記光ファイバ端末と対向しかつ前記第１の基板と前記第２の基板とを前記光ファイバ端末の光軸方向にずらして筐体内に配置したことを特徴とする光通信モジュール。
【請求項５】
前記受光素子及び前記発光素子と前記光ファイバ端末との間に入射光と出射光とを分離する光遮蔽部材を設けたことを特徴とする請求項４に記載の光通信モジュール。
【請求項６】
前記光ファイバ端末に対し近い側に配置された前記第１の基板または前記第２の基板に光透過部を設け、遠い側に配置された前記第２の基板または前記第１の基板と前記光透過部を介して前記光ファイバ端末との間に光路が形成されるように構成したことを特徴とする請求項４または５に記載の光通信モジュール。
【請求項７】
前記光ファイバ端末と前記受光素子及び前記発光素子との間に回折格子及び集光レンズを配置したことを特徴とする請求項１乃至６のいずれか１項に記載の光通信モジュール。
【請求項８】
前記回折格子を前記集光レンズに形成したことを特徴とする請求項７に記載の光通信モジュール。
【請求項９】
前記回折格子を前記集光レンズの片側の面もしくは両側の面に形成したことを特徴とする請求項８に記載の光通信モジュール。
【請求項１０】
前記回折格子で回折された回折光が前記受光素子に入射しかつ前記発光素子からの前記回折格子の０次光が前記光ファイバ端末に入射するように構成したことを特徴とする請求項７，８または９に記載の光通信モジュール。
【請求項１１】
前記受光素子は複数の受光部を備え、前記回折格子による回折角度の異なる回折光がその回折角度に応じて各々の受光部に入射するように構成したことを特徴とする請求項７乃至１０のいずれか１項に記載の光通信モジュール。
【発明の詳細な説明】
【技術分野】
【０００１】
本発明は、光通信システムにおいて光信号の送信及び受信のために端末に配置される光通信モジュールに関する。
【背景技術】
【０００２】
従来、波長の異なる光による双方向伝送による光通信システムでは、光信号の送受信端末に受光素子や発光素子等からなる光モジュールを配置し、送信・受信の各光をフィルタにより分離している。かかる従来の光モジュールの例を図４に示す。図の光モジュールでは、光ファイバ１００からの光がレンズ１０１で集光され、ビームスプリッタ１０２で反射して受光素子１０３に入射することで受信した光信号を分波してモニタするとともに、発光素子１０４からの光がビームスプリッタ１０２を透過しレンズ１０１で集光されて光ファイバ１００に入射する。
【０００３】
上述の従来方式では、波長の異なる光の送受信の際にフィルタ（ビームスプリッタ）による分離を行っていたが、下記特許文献１は、レンズ上に回折格子を設けて送受信の各光を分離する光モジュールを開示する。即ち、図５のように、ホログラム光学素子１１１を半導体レーザ１１０とフォトダイオード１２０が実装された支持台１３０と光ファイバ３４０の端末１４０との間に配置し、ホログラム光学素子１１１は基板の一方の面に回折格子１６０が形成されかつ基板の他方の面にレンズ１７０が形成されている。図５のような光モジュールによれば、小型化できコストダウンを図ることができる。
【０００４】
しかし、図４のようにフィルタを用いる場合は、透過光と反射光を区別することにより９０°の分離ができるのに対し、図５のように、グレーティングの場合は、回折効率を確保したり偏光依存性が無いような状態にする必要があるため、異次光例えば０次光と１次光の分光では角度０．０５ラジアン以内程度にしか分離できない。この分離角は、回折格子からの距離を３０ｍｍとすると、１．５ｍｍに相当する。このように、図５のようなグレーティングを用いた光モジュールでは、分離角を大きく確保することが困難であり、このため、光モジュールのパッケージの大型化を避けるためには、半導体レーザ等の発光素子とフォトダイオード等の受光素子とを空間的に近い距離に配置する必要がある。
【０００５】
そうすると、発光素子と受光素子との間の電気的、光学的なクロストークが問題となってしまう。一般的には電気的、光学的なクロストーク（４０ｄＢ必要とされている）を防止するために、発光素子と受光素子とは各々缶（ＣＡＮ）タイプのパッケージに納められているのが普通であり、フィルタタイプの場合にはこの缶タイプの発光素子と受光素子を用いることが可能であるが、レンズ上にグレーティングを設けたタイプの場合は、缶タイプの発光素子と受光素子を用いることが困難であった。
【特許文献１】特開平５−２４１０４９号公報
【発明の開示】
【発明が解決しようとする課題】
【０００６】
本発明は、上述のような従来技術の問題に鑑み、小型化のために発光素子と受光素子とを同一パッケージに収めた場合でも発光素子と受光素子との間の電気的及び光学的なクロストークを低減させることのできる光通信モジュールを提供することを目的とする。
【課題を解決するための手段】
【０００７】
上記目的を達成するために、本発明による第１の光通信モジュールは、光ファイバ端末からの光が入射する受光素子と、前記光ファイバ端末に入射させる光を出射する発光素子と、を同一の缶内に収容し、前記缶を前記受光素子と前記発光素子とが前記光ファイバ端末と対向するように筐体内に配置し、前記受光素子と前記発光素子との間を光学的に遮蔽しかつ電気的に絶縁したことを特徴とする。
【０００８】
この光通信モジュールによれば、受光素子と発光素子とを同一の缶内に配置し、両者の間を光学的に遮蔽しかつ電気的に絶縁するので、発光素子と受光素子とを同一缶内に収めて小型化でき、光ファイバ端末に対し光が出射しかつ入射する発光素子と受光素子との間の電気的及び光学的なクロストークを低減させることができる。
【０００９】
上記光通信モジュールにおいて前記受光素子と前記発光素子とを同一基板上に配置し、前記受光素子と前記発光素子との間に電気絶縁部を設けることで、発光素子と受光素子との間の電気的クロストークを低減できる。
【００１０】
また、前記受光素子と前記発光素子との間に入射光と出射光とを分離する光遮蔽壁を設けることで、発光素子と受光素子との間の光学的クロストークを低減できる。
【００１１】
本発明による第２の光通信モジュールは、光ファイバ端末からの光が入射する受光素子と、前記光ファイバ端末に入射させる光を発する発光素子と、を第１の基板及び第２の基板に別々に配置し、前記受光素子と前記発光素子とが前記光ファイバ端末と対向しかつ前記第１の基板と前記第２の基板とを前記光ファイバ端末の光軸方向にずらして筐体内に配置したことを特徴とする。
【００１２】
この光通信モジュールによれば、受光素子を配置した第１の基板と、発光素子を配置した第２の基板とが異なる基板であるので、発光素子と受光素子との間の電気的クロストークを低減できる。また、第１の基板と第２の基板とを光ファイバ端末の光軸方向にずらして配置するので、発光素子と受光素子との間の光学的クロストークを低減できる。
【００１３】
上記光通信モジュールにおいて前記受光素子及び前記発光素子と前記光ファイバ端末との間に入射光と出射光とを分離する光遮蔽部材を設けることで、発光素子と受光素子との間の光学的なクロストークを効果的に低減できる。
【００１４】
また、前記光ファイバ端末に対し近い側に配置された前記第１の基板または前記第２の基板に光透過部を設け、遠い側に配置された前記第２の基板または前記第１の基板と前記光ファイバ端末との間に前記光透過部を介して光路が形成されるように構成できる。
【００１５】
上記第１及び第２の光通信モジュールにおいて前記光ファイバ端末と前記受光素子及び前記発光素子との間に回折格子及び集光レンズを配置することで、受光素子への入射光と、発光素子からの出射光とを分離できる。
【００１６】
この場合、前記回折格子を前記集光レンズに形成することで、部品点数が減り、回折格子と集光レンズとの軸合わせが不要となり、光通信モジュールの組み立て性が向上する。また、前記回折格子を前記集光レンズの片側の面もしくは両側の面に形成するようにできる。回折格子を集光レンズの両側に形成することで、回折ピッチが狭い領域では回折効率をさほど低下させずに、回折角を大きくすることができる。
【００１７】
また、前記回折格子で回折された回折光が前記受光素子に入射しかつ前記発光素子からの前記回折格子の０次光が前記光ファイバ端末に入射するように構成することが好ましい。これにより、発光素子と光ファイバ端末との軸合わせが容易となり、光通信モジュールの組み立て性が向上する。
【００１８】
また、前記受光素子は複数の受光部を備え、前記回折格子による回折角度の異なる回折光がその回折角度に応じて各々の受光部に入射するように構成することで、波長の異なる複数の光信号を受信できる。
【発明の効果】
【００１９】
本発明の光通信モジュールによれば、小型化のために発光素子と受光素子とを同一パッケージに収めた場合でも発光素子と受光素子との間の電気的及び光学的なクロストークを低減させることができる。
【発明を実施するための最良の形態】
【００２０】
以下、本発明を実施するための最良の形態について図面を用いて説明する。
【００２１】
〈第１の実施の形態〉
【００２２】
図１は第１の実施の形態による光通信モジュールの内部を縦割にして示す斜視図である。図２は図１の受光素子と発光素子を同一の缶内に収容した具体的構成を示す斜視図（ａ）及び半割状態で示す斜視図（ｂ）である。
【００２３】
図１に示すように、第１の実施の形態による光通信モジュールは、光ファイバ１の端部２の近傍に配置され端部２側のレンズ面に回折格子１６が形成された集光レンズ１１と、集光レンズ１１からの光束が入射する受光素子１３と、集光レンズ１１に入射させるように光束を出射する発光素子１４と、受光素子１３と発光素子１４とを同一面上に配置した円板状の基板１５と、受光素子１３と発光素子１４とを隔離し光学的に遮蔽し基板１５上に集光レンズ１１側に延びるように設けられた光遮蔽壁１２と、を筐体１０の内部に形成された空洞１７内に備える。円板状の基板１５内で受光素子１３と発光素子１４との間には後述の図２（ｂ）のように電気絶縁部が設けられている。
【００２４】
図１の光通信モジュールは光ファイバ１が延びる光軸方向Ｐに全体として細長く構成されている。光ファイバ１は光通信システムの光ケーブル網に接続可能になっており、円柱状の保持体３内に貫通して保持され、その端部２が保持体３の端面で露出している。保持体３は筐体１０内の空洞に挿入されるようにして部分的に保持されている。
【００２５】
集光レンズ１１の回折格子１６が光ファイバ１の端部２に近接しており、光ファイバ１の端部２からの光束が回折格子１６で回折され、その１次回折光が集光レンズ１１で受光素子１３に集光される。また、受光素子１３に集光された光束の波長と異なる波長で発光素子１４から発した光束が集光レンズ１１を介して回折格子１６を透過し、０次光として光ファイバ１の端部２に集光される。このように、入射光を回折１次光とし、出射光を０次光とすることで、発光素子１４と光ファイバ１の端部２との軸合わせが容易となり、光通信モジュールの組み立て性が向上する。
【００２６】
基板１５及び光遮蔽壁１２が円筒状の缶１８内に配置され、基板１５上の受光素子１３と発光素子１４とが缶１８内に収容されている。受光素子１３は例えばフォトダイオードからなり、発光素子１４は例えばレーザダイオードからなり、両者は基板１５上に光ファイバ１の中心軸から互いに偏心した位置に所定距離だけ離れて形成されている。
【００２７】
また、受光素子１３と発光素子１４とは基板１５から缶１８の外部に突き出るようにして設けられた複数の端子１９に電気的に接続している。缶１８は、収容された受光素子１３と発光素子１４とが光ファイバ１の端部２に対向するように筐体１０の端部に固定されている。
【００２８】
また、缶１８内で受光素子１３と発光素子１４との間に形成された光遮蔽壁１２により、受光素子１３への入射光と発光素子１４からの出射光とを確実に分離でき、また、発光素子１４の出射光が受光素子１３に入射することを確実に防止できる。
【００２９】
図１の光通信モジュールは、波長分割多重方式による波長の異なる光信号を伝送する光通信システムに適用可能であり、例えば、ユーザのパソコン等の装置端末に使用され、光ファイバ１が光通信システムの光ケーブル網に接続される一方、複数の端子１９が例えばルータ等の接続機器の差込口に差し込まれ、パソコン等と接続される。
【００３０】
図１の光通信モジュールによれば、光ファイバ１内で伝送されてきた入力光信号が端部２から出射すると、回折格子１６で所定の回折角で回折されて屈折した１次回折光が集光レンズ１１により受光素子１３に集光され、受光素子１３で変換された電気信号が端子１９から出力する。
【００３１】
一方、受光素子１３に入射した光の波長と異なる波長で発光素子１４から出射した光が集光レンズ１１に入射し回折格子１６を透過して０次光として光ファイバ１の端部２に集光され、出力光信号として光ファイバ１内で伝送されていく。
【００３２】
以上のようにして、図１の光通信モジュールにより波長の異なる光信号が同じ光ファイバ１内で上り及び下りの双方向に伝送されることで、パソコン等によりインターネット等を介して通信を行うことが可能となる。
【００３３】
上述のように図１の光通信モジュールは、受光素子１３と発光素子１４とを同一の缶１８内に収容しコンパクトに構成でき、缶１８と回折格子１６の形成された集光レンズ１１とを光ファイバ１の端部２から光軸方向Ｐに離れるようにして筐体１０内に配置することで、入射光と出射光とを分離可能にするとともに小型化及び低コスト化を達成している。
【００３４】
また、上述の小型化のために受光素子１３と発光素子１４との基板１５上の距離が比較的短くなっても、光信号を送信・受信する際に基板１５上の光遮蔽壁１２により入射光と出射光が確実に分離され、また発光素子１４からの光が受光素子１３に入射することを防止するので、発光素子と受光素子との間の電気的及び光学的なクロストークを低減させることができる。このため、安定した光通信が可能となる。
【００３５】
また、回折格子１６を集光レンズ１１に形成し、両者を一体化することで、部品点数が減り、両者の軸合わせが不要となり、光通信モジュールの組み立て性が向上する。なお、回折格子１６を集光レンズ１１の光ファイバ１の端部２と反対側のレンズ面に形成してもよい。また、集光レンズ１１の両レンズ面に回折格子を形成することで、回折角を大きくすることができる。また、集光レンズ１１のレンズ面の一方に分光用回折格子を形成し、他方に楕円状パターンの回折格子を形成することで、光通信モジュールにおける結合効率を向上させることができる。
【００３６】
次に、図１の発光素子と受光素子の具体的構成について図２を参照して説明する。図２（ａ）、（ｂ）のように、受光素子１３と発光素子１４とは缶１８内に収容され、缶１８内で基板１５から直立して設けられた光遮蔽壁１２で遮られている。
【００３７】
受光素子１３は、図２（ａ）のように、アレー状に並べられた複数の受光部１３ａ、１３ｂ、１３ｃを備え、回折格子１６による回折角度の異なる回折光がその回折角度に応じて各受光部１３ａ、１３ｂ、１３ｃに入射するようになっている。
【００３８】
また、図２（ｂ）のように、受光素子１３は基板１５に設けられた受光素子領域１５ａ上に形成されており、基板１５内部で受光素子領域１５ａと基板１５との間に電気絶縁樹脂材料からなる電気絶縁部１５ｂが設けられている。
【００３９】
また、発光素子１４は、光遮蔽壁１２の壁面に略半円のすり鉢状に形成された穴１２ａの底部に設けられている。このため、発光素子１４が穴１２ａの底部に配置されても、発光素子１４からの光がけられてしまうおそれはない。
【００４０】
また、基板１５上には、発光素子１４からの光を受光するためにフォトダイオード等からなるモニタ用受光素子１４ａが配置されている。モニタ用受光素子１４ａの受光信号をフィードバックすることで、発光素子１４の発光光量が一定になるように制御される。
【００４１】
上述のように、受光素子１３と発光素子１４とを缶１８内で遮る光遮蔽壁１２及び基板１５内で受光素子１３と発光素子１４とを電気的に絶縁する電気絶縁部１５ｂにより受光素子１３と発光素子１４との間の光学的及び電気的クロストークを効果的に低減できる。
【００４２】
また、図１の光ファイバ１の端部２からの波長の異なる光は回折格子１６で各波長に応じて回折角が変化し、各受光部１３ａ〜１３ｃにそれぞれ入射する。このため、光多重信号の各波長は、例えば、発光素子１４からの出射光波長λ０が１．３１μｍ、光ファイバ１の端部２から入射する光の波長がλ１＝１．４７μｍ、λ２＝１．４９μｍ、λ３＝１．５１μｍであるが（後述の図６（ａ）参照）、かかる波長の異なる複数の光信号を各受光部１３ａ〜１３ｃで別々に受光できる。このように下り波長多重（ＷＤＭ）通信を行うことで、各波長の光信号に乗せられた種々のデータ、例えば、デジタルテレビ放送、動画、静止画、音声、デジタルデータ通信などを一本の光ファイバを通して受信できる。
【００４３】
〈第２の実施の形態〉
【００４４】
図３は第２の実施の形態による光通信モジュールの内部を縦割にして示す斜視図である。
【００４５】
図３に示すように、第２の実施の形態による光通信モジュールは、光ファイバ１の端部２の近傍に配置され端部２側のレンズ面に回折格子３６が形成された集光レンズ３１と、集光レンズ３１からの光束が入射する受光素子３３と、集光レンズ３１に入射させるように光束を出射し光ファイバ１の端部２に対し受光素子３３よりも遠く離れるように配置された発光素子３４と、受光素子１３への入射光と発光素子１４からの出射光とを光学的に分離し遮蔽するように受光素子３３と集光レンズ３１との間に配置された光遮蔽部材３２と、を筐体３０の内部に形成された空洞３７内に備える。
【００４６】
図３の光通信モジュールは光ファイバ１が延びる光軸方向Ｐに全体として細長く構成されている。光ファイバ１は光通信システムの光ケーブル網に接続可能になっており、円柱状の保持体３内に貫通して保持され、その端部２が保持体３の端面で露出している。保持体３は筐体３０内の空洞３７に挿入されるようにして部分的に保持されている。
【００４７】
光遮蔽部材３２は、中間に隔壁部３２ａが設けられた円筒状（鏡筒状）に構成され、隔壁部３２ａには受光素子３３への入射光が通過する貫通孔３２ｂと、発光素子３４からの出射光が通過する貫通孔３２ｃとが形成されている。
【００４８】
受光素子３３は、例えばフォトダイオードからなり、光ファイバ１の端部２に対向しかつ第１の基板３５上で光ファイバ１の中心軸から偏心した位置に配置されている。第１の基板３５は円板状にかつ光遮蔽部材３２と一体に形成されており、空洞３７に挿入されるようにして配置されている。また、第１の基板３５には受光素子３３と反対側の光ファイバ１の中心軸から偏心した位置に透過光４０が発光素子３４からの出射光が通過するように形成されている。
【００４９】
発光素子３４は、例えばレーザダイオードからなり、光ファイバ１の端部２に対向しかつ円板状の第２の基板３８上で光ファイバ１の中心軸から偏心した位置に配置されている。また、受光素子３３と発光素子３４とは第２の基板３８から外部に突き出るようにして設けられた複数の端子３９に電気的に接続している。
【００５０】
発光素子３４が配置された第２の基板３８は円筒状の缶４２と一体に構成されている。缶４２は、筐体３０の空洞３７内に挿入されるようにして固定され、複数の端子３９が第２の基板３８から外部に突き出ている。缶４２の空洞３７内の先端には円板４１が設けられており、円板４１には光ファイバ１の光軸から偏心しかつ発光素子３４からの出射光が通過する位置にレンズ４３が配置されている。発光素子３４からの出射光がレンズ４３により第１の基板３５の透過孔４０を通過するように集光される。
【００５１】
なお、第１の基板３５の透過孔４０を比較的小径に構成し、出射光がレンズ４３により透過孔４０に集光されるように構成することで、出射光が受光素子３３に入射し難くなる。
【００５２】
集光レンズ３１の回折格子３６が光ファイバ１の端部２に近接しており、ファイバ１の端部２からの光束が回折格子３６で回折され、その１次回折光が集光レンズ３１で受光素子１３に集光される。また、受光素子３３に集光された光束の波長と異なる波長で発光素子３４から発した光束が、レンズ４３等及び集光レンズ３１を介して回折格子３６を透過し、０次光として光ファイバ１の端部２に集光される。このように、入射光を回折１次光とし、出射光を０次光とすることで、発光素子３４と光ファイバ１の端部２との軸合わせが容易となり、光通信モジュールの組み立て性が向上する。
【００５３】
また、受光素子３３を設けた第１の基板３５を光ファイバ１の端部２に対し光軸方向Ｐに接近して配置し、発光素子３４を設けた第２の基板３８を光ファイバ１の端部２に対し光軸方向Ｐに遠く離れるように配置したので、受光素子３３と発光素子３４とが光軸方向Ｐに離れるので、両者間の光学的クロストークを低減できる。また、発光素子３４を設けた第２の基板３８は円板４１に覆われており、レンズ４３以外からは光が出射せず、かつ、受光素子３３が発光素子３４と対向しないので、発光素子３４からの出射光が受光素子３３に入射することが殆どなく、発光素子３４と受光素子３３との間の光学的クロストークを低減できる。更に、光遮蔽部材３２により、受光素子１３への入射光と発光素子１４からの出射光とを確実に分離できので、光学的クロストークを更に低減できる。
【００５４】
第１の基板３５と第２の基板３８とは異なる部材であり空間的に離れて配置されるので、発光素子３４と受光素子３３との電気的クロストークを低減できる。
【００５５】
図３の光通信モジュールは、図１と同様に、波長分割多重方式による波長の異なる光信号を伝送する光通信システムに適用可能であり、例えば、ユーザのパソコン等の装置端末に使用され、光ファイバ１が光通信システムの光ケーブル網に接続される一方、複数の端子３９が例えばルータ等の接続機器の差込口に差し込まれ、パソコン等と接続される。
【００５６】
図３の光通信モジュールによれば、光ファイバ１内で伝送されてきた入力光信号が端部２から出射すると、回折格子３６で所定の回折角で回折されて屈折した１次回折光が集光レンズ３１により、光遮蔽部材３２の貫通孔３２ｂを通過して受光素子３３に集光され、受光素子１３で変換された電気信号が端子１９から出力する。
【００５７】
一方、受光素子３３に入射した光の波長と異なる波長で発光素子３４から出射した光がレンズ４３により第１の基板３５の透過孔４０及び光遮蔽部材３２の貫通孔３２ｃを通過し、集光レンズ３１に入射し回折格子３６を透過して０次光として光ファイバ１の端部２に集光され、出力光信号として光ファイバ１内で伝送されていく。
【００５８】
以上のようにして、図３の光通信モジュールにより波長の異なる光信号が同じ光ファイバ１内で上り及び下りの双方向に伝送されることで、パソコン等によりインターネット等を介して通信を行うことが可能となる。
【００５９】
上述のように図３の光通信モジュールは、受光素子３３と発光素子３４とを光軸方向Ｐに離して配置するので、筐体３０の径は大きくならず、コンパクトに構成できるとともに、入射光と出射光とを分離可能にでき、小型化及び低コスト化を達成している。
【００６０】
また、上述の小型化のために受光素子３３への入射光の光路と、発光素子３４からの出射光の光路との間の、光ファイバの中心軸に対し直交する方向の距離が比較的短くなっても、光信号を送信・受信する際に光遮蔽部材３２により入射光と出射光が確実に分離され、また発光素子３４からの光が受光素子３３に入射することを確実に防止し、受光素子３３と発光素子３４とが電気的に確実に絶縁できるので、発光素子３４と受光素子３３との間の電気的及び光学的なクロストークを低減させることができる。このため、安定した光通信が可能となる。
【００６１】
また、回折格子３６を集光レンズ３１に形成し、両者を一体化することで、部品点数が減り、両者の軸合わせが不要となり、光通信モジュールの組み立て性が向上する。なお、回折格子３６を集光レンズ３１の光ファイバ１の端部２と反対側のレンズ面に形成してもよい。また、集光レンズ３１の両レンズ面に回折格子を形成することで、回折角を大きくすることができる。また、集光レンズ３１のレンズ面の一方に分光用回折格子を形成し、他方に楕円状パターンの回折格子を形成することで、光通信モジュールにおける結合効率を向上させることができる。
【００６２】
以上のように本発明を実施するための最良の形態について説明したが、本発明はこれらに限定されるものではなく、本発明の技術的思想の範囲内で各種の変形が可能である。例えば、図１及び図２（ａ）、（ｂ）では、光遮蔽壁１２を缶１８から突き出て更に長く構成してもよく、光遮蔽効果が増す。
【００６３】
また、図３では、第１の基板３５に発光素子を配置し、第２の基板３８に受光素子を配置するように構成してもよい。
【００６４】
また、図３の光通信モジュールの変形例を図６（ａ）、（ｂ）に示すが、受光素子３３は、図６（ｂ）のように、アレー状に並べられた複数の受光部３３ａ、３３ｂ、３３ｃを備え、回折格子３６による回折角度の異なる回折光がその回折角度に応じて各受光部３３ａ、３３ｂ、３３ｃに入射するようになっている。
【００６５】
また、円筒状の鏡筒３２’内に設けられ比較的小型の第１の缶４９内に受光素子３３が収容され、第１の缶４９の上面に設けられた光透過孔４９ａを通して集光レンズ３１からの光が受光素子３３に入射する。図６（ｂ）では、隔壁部３２ａ及び貫通孔３２ｂ、貫通孔３２ｃ、更に第１の缶４９、光透過孔４９ａにより光遮蔽部材を構成し、受光素子３３への入射光と発光素子３４からの出射光とを光学的に分離し更に効果的に遮蔽できる。
【００６６】
なお、図６では、図３の発光素子を出射した光を通す透過孔４０は省略されている。また、第１の缶４９の基板３５から受光素子３３の電気信号を取り出すための端子３５ａが延びている。
【００６７】
図６（ａ）、（ｂ）のように、光ファイバ１の端部２からの波長の異なる光は回折格子３６で各波長に応じて回折角が変化し、各受光部３３ａ〜３３ｃにそれぞれ入射する。このため、光多重信号の各波長は、例えば、発光素子３４からの出射光波長λ０が１．３１μｍであり、光ファイバ１の端部２から入射する光の波長がλ１＝１．４７μｍ、λ２＝１．４９μｍ、λ３＝１．５１μｍであるが、かかる波長の異なる複数の光信号を各受光部３３ａ〜３３ｃで別々に受光できる。このように下り波長多重（ＷＤＭ）通信を行うことで、各波長の光信号に乗せられた種々のデータ、例えば、デジタルテレビ放送、動画、静止画、音声、デジタルデータ通信などを一本の光ファイバを通して受信できる。
【図面の簡単な説明】
【００６８】
【図１】第１の実施の形態による光通信モジュールの内部を縦割にして示す斜視図である。
【図２】図２は図１の受光素子と発光素子を同一の缶内に収容した具体的構成を示す斜視図（ａ）及び半割状態で示す斜視図（ｂ）である。
【図３】図３は第２の実施の形態による光通信モジュールの内部を縦割にして示す斜視図である。
【図４】送信・受信の各光をフィルタにより分離する従来の光モジュールを示す断面図である。
【図５】レンズ上に回折格子を設けて送信・受信の各光を分離する従来の別の光モジュールを示す断面図である。
【図６】図３の光通信モジュールの変形例を示す図であり、光通信モジュールの内部を縦割にして示す斜視図（ａ）及び要部を拡大して示す斜視図（ｂ）である。
【符号の説明】
【００６９】
１ 光ファイバ
２ 端部（光ファイバ端末）
１０ 筐体
１１ 集光レンズ
１２ 光遮蔽壁
１３ 受光素子
１３ａ、１３ｂ、１３ｃ 複数の受光部
１４ 発光素子
１５ 基板
１５ｂ 電気絶縁部
１６ 回折格子
１８ 缶
１９ 端子
３０ 筐体
３１ 集光レンズ
３２ 光遮蔽部材
３２ａ 隔壁部
３２ｂ 貫通孔
３２ｃ 貫通孔
３３ 受光素子
３３ａ，３３ｂ，３３ｃ 複数の受光部
３４ 発光素子
３５ 第１の基板
３６ 回折格子
３７ 空洞
３８ 第２の基板
３９ 端子
４０ 貫通孔
４０ 透過孔（光透過部）
４１ 円板
４２ 缶
４３ レンズ
４９ 第１の缶
Ｐ 光軸方向
【図１】
2005183519.tif 000003
【図２】
2005183519.tif 000004
【図３】
2005183519.tif 000005
【図４】
2005183519.tif 000006
【図５】
2005183519.tif 000007
【図６】
2005183519.tif 000008